(57)【特許請求の範囲】
【請求項１】
手摺が連結される第１部材と、手摺が連結される第２部材とを有し、第１部材又は第２部材の一方が球面の一部からなる凸部材を有し、同他方が凸部材に整合嵌合する凹部材を有し、前記凸部材と凹部材とが中空状となされ、中空状の凸部材及び中空状の凹部材に貫通孔が形成され、前記凸部材の内面の、貫通孔の縁部に立上り部が設けられ、この立上り部の先端が凸部材の球面からなる外表面に並行な湾曲縁となされ、前記凸部材の貫通孔及び凹部材の貫通孔に連結ピンが任意の方向に移動自在に嵌められ、この連結ピンの一端の抜け止め部材が立上り部の湾曲縁に当接させられ、同他方端の抜け止め部材が凹部材の球状の内面に当接するようになされている手摺連結具。
【発明の詳細な説明】
【０００１】
【発明の属する技術分野】
本発明は手摺連結具に関する。
【０００２】
【従来の技術】
従来、この種の手摺連結具として以下の如きものは知られている。
手摺が連結される第１部材と、手摺が連結される第２部材とを有し、第１部材と第２部材とが連結ピンで上下に折り曲げ自在に連結されたものは知られている（特開平１０−６１１３９号公報参照）。
従来の手摺連結具は、水平な手摺と施工現場ごとに相違する階段の傾斜に対応して傾斜した手摺との連結に対応することが出来るという利点を有している。
【０００３】
【従来技術の欠点】
前記従来の手摺連結具には以下の如き欠点があった。
第１部材と第２部材とが連結ピンで折り曲げ自在に連結されたものであったため、連結ピンの軸心に直交する方向（上下方向）にしか折り曲げ出来なかったので、連結される手摺が施工誤差等によって平面から見て一直線に並ばない場合に手摺の連結が困難又は出来ないという欠点があった。
【０００４】
【前記欠点を解消するための手段】
本発明は前記欠点を解消するために以下の如き手段を採用した。
本発明は、手摺が連結される第１部材と、手摺が連結される第２部材とを有し、第１部材又は第２部材の一方が球面の一部からなる凸部材を有し、同他方が凸部材に整合嵌合する凹部材を有し、前記凸部材と凹部材とが中空状となされ、中空状の凸部材及び中空状の凹部材に貫通孔が形成され、前記凸部材の内面の、貫通孔の縁部に立上り部が設けられ、この立上り部の先端が凸部材の球面からなる外表面に並行な湾曲縁となされ、前記凸部材の貫通孔及び凹部材の貫通孔に連結ピンが任意の方向に移動自在に嵌められ、この連結ピンの一端の抜け止め部材が立上り部の湾曲縁に当接させられ、同他方端の抜け止め部材が凹部材の球状の内面に当接するようになされているものである。
【０００５】
【発明の効果】
本発明は前記した如き構成によって以下の如き効果を奏する。
▲１▼連結される手摺が施工誤差等によって平面から見て一直線に並ばない場合にも、手摺を連結することが出来る。
▲２▼立上り部の湾曲縁、即ち、抜け止め部材が、球面の一部からなる凸部材の球面の中心に近付くので、連結ピンに対して凸部材を動かして究極的に凸部材と凹部材とのなす角度を変更する際、抜け止め部材が中空状の凸部材の球状の内面に直接に当接する場合に比較して、抜け止め部材が立上り部の湾曲縁に摺接して移動する距離を短くして、労力を少なくして凸部材と凹部材とのなす角度を変更することが出来る。
【０００６】
【発明の実施の形態】
以下に、発明の実施の形態を説明する。
なお、この説明において、上とは図１上側を、下とは同図下側をいい、左とは図１紙面表側を、右とは同裏側をいう。
【０００７】
手摺連結具１は、任意断面、例えば断面円形の手摺２が連結される第１部材３と、手摺２が連結される第２部材４とを有している。
第１部材３又は第２部材４の一方、具体的には第１部材３が、球面の一部からなる凸部材６を有し、同他方、具体的には第２部材４が、凸部材６に整合嵌合する凹面を有する凹部材７を有している。前記凸部材６と凹部材７とが以下に詳述するような手段によって任意の方向に折り曲げ自在に嵌合・連結されている。
【０００８】
前記凸部材６と凹部材７とは中空状となされ、中空状の凸部材６に上下方向に長い貫通孔９が形成され、中空状の凹部材７に上下方向に長い貫通孔１３が形成され、前記中空状の凸部材６の内面の、貫通孔９の縁部に立上り部１９が設けられ、この立上り部１９の先端が凸部材６の球面からなる外表面に並行な湾曲縁となされている。
前記凸部材６の貫通孔９及び凹部材７の貫通孔１３に直径ｄの連結ピン１１が任意の方向に移動自在に嵌められ、この連結ピン１１の一端の抜け止め部材１０が立上り部１９の湾曲縁に当接させられ、同他方端の抜け止め部材１４が凹部材７の球状の内面に当接するようになされている。貫通孔９、１３に連結ピン１１が任意の方向に移動自在に嵌められるとは、貫通孔９、１３の上下長さ及び左右長さが、連結ピン１１の直径ｄより長くなされていることを意味する。
このような構成により、立上り部１９の湾曲縁、即ち、抜け止め部材１０が、球面の一部からなる凸部材６の球面の中心に近付くので、連結ピン１１に対して凸部材６を動かして究極的に凸部材６と凹部材７とのなす角度を変更する際、抜け止め部材１０が中空状の凸部材６の内面に直接に当接する場合に比較して、抜け止め部材１０が立上り部１９の湾曲縁に摺接して移動する距離を短くして、労力を少なくして凸部材６と凹部材７とのなす角度を変更することが出来る。
なお、連結ピン１１が貫通孔９の上下方向全範囲において移動し得るように、立上り部１９の湾曲縁の上下部は、抜け止め部材１０を逃げるような形状となされている。
【０００９】
上記の如き構成により、凸部材６と凹部材７とが、換言すれば、第１部材３と第２部材４とが任意の方向に折り曲げ自在に連結されている。なお、第１部材３と第２部材４とは、上下方向には相互に９０度（ほぼ９０度も含む。以下同様。）をなす状態にまで折り曲げ可能であるが（即ち、第１部材３に嵌められた手摺２の長手方向中心線と第２部材４に嵌められた手摺２の長手方向中心線とが相互に９０度をなす状態にまで折り曲げ可能であるが）、左右方向には直線状態から左側及び右側に１０度前後の角度範囲で折り曲げ出来る程度である。しかし、前記折れ曲がり角度は全く任意である。
ところで、連結ピン１１が凸部材６及び凹部材７のいずれに対しても上下方向に所定長さだけ上下動自在となされているので、即ち、連結ピン１１を基準に考えた場合、凸部材６と凹部材７とが連結ピン１１に対して上下動することが出来るので、連結ピン１１が凸部材６又は凹部材７のいずれか一方にのみ上下方向に所定長さだけ上下動自在となされている場合に比較して、凸部材６と凹部材７との嵌合の割合を少なくして、第１部材３と第２部材４とが相互に９０度をなすように折り曲げることが出来る。即ち、図１において、連結ピン１１が例えば凸部材６に固定されている場合を想定した場合、連結ピン１１は凹部材７の貫通孔１３に沿って上下に移動出来るだけであるが、連結ピン１１が凸部材６に形成され貫通孔９に沿っても上下に移動出来る分だけ、凸部材６と凹部材７との嵌合の割合を少なくして、第１部材３と第２部材４とが相互に９０度をなすように折り曲げることが出来る。
【００１０】
前記第１部材３及び第２部材４に手摺２の端部が嵌まる嵌合凹所１６が形成され、この嵌合凹所１６の奥部に手摺４の端面が当たる任意形状の突起からなるストッパー１７が設けられている。
手摺４は、ストッパー１７に当たる位置まで嵌合凹所１６に嵌め入れられた後、第１部材３及び第２部材４に形成されたねじ挿通孔（図示略）を通じてねじ（図示略）を手摺２にねじ嵌めることによって第１部材３及び第２部材４に固定される。なお、手摺２を接着剤等によって第１部材３及び第２部材４に固定するようにしてもよいことは云うまでもない。
【００１１】
【変形例等】
以下に変形例等について説明を加える。
（１）連結ピン１１と抜け止め部材１０とを別の部材とし、連結ピン１１と抜け止め部材１０とを組み立て・連結するようにしてもよい。
（２）凸部材６と凹部材７との間に、両者の摺動を良くするための環状の滑り部材を、連結ピン１１に嵌めた状態で介在させることもある。なお、滑り部材は、貫通孔９、１３に嵌まり込まないような大きさとなされることは云うまでもない。
（３）手摺連結具１を、階段の折れ曲がり角部における手摺の連結具として使用出来ることは云うまでもない。
（４）手摺連結具１を、階段以外の手摺の連結具として使用出来ることは云うまでもない。
（５）手摺連結具１の素材は、合成樹脂、金属等任意である。
【図面の簡単な説明】
【図１】本発明の実施の形態を示す縦断面図である。
【図２】図１のＩＩ−ＩＩ線縦断面図である。
【符号の説明】
１  手摺連結具
２  手摺
３  第１部材
４  第２部材
６  凸部材
７  凹部材
９  貫通孔
１０  抜け止め部材
１１  連結ピン
１３  貫通孔
１４  抜け止め部材
１９  立ち上り部
２１  第３部材
【図１】
0003995355.tif 000002
【図２】
0003995355.tif 000003